(57)【要約】【課題】警送員が回収する硬貨を最小限に抑え、警送員の負担を軽減する。【解決手段】入金時にレジスターから回収され前記硬貨入金口１１と紙幣入出金口にそれぞれ投入された硬貨及び紙幣を前記硬貨鑑別部１２及び紙幣鑑別部２２で鑑別計数して、計数した硬貨をすべて釣銭用硬貨収納部１４に収納すると共に、売上金記憶部５に記憶された売上金の金額から最小金種の紙幣の金額に満たない端数分の金額を未収納金額として売上金記憶部５に記憶し、前記計数した紙幣のうち前記売上金の金額から前記未収納金額を除いた金額分の紙幣を前記紙幣回収箱２４に収納し、回収時に前記未収納金額分の硬貨を釣銭用硬貨収納部１４から硬貨回収箱１５に送って収納する。【選択図】        図１
2006139657.tif 000002
【特許請求の範囲】
【請求項１】
売上金の金額を入力する入力部と、
硬貨受入れ部、硬貨の金種の鑑別及び金種毎の計数を行う硬貨鑑別部、硬貨を一時保留する硬貨一時保留部、現金取扱機で使用する釣銭準備金を収納する釣銭用硬貨収納部、回収する硬貨を収納する硬貨回収箱を有する硬貨処理機と、
紙幣受入れ部、紙幣の金種の鑑別及び金種毎の計数を行う紙幣鑑別部、紙幣を一時保留する紙幣一時保留部、現金取扱機で使用する釣銭準備金を収納する釣銭用紙幣収納部、回収する紙幣を収納する紙幣回収箱を有する紙幣処理機と、
入金時に前記入力部から入力される売上金の金額を記憶する売上金記憶部とを備え、
入金時に現金取扱機から回収され前記硬貨受入れ部と紙幣受入れ部にそれぞれ投入された硬貨及び紙幣を前記硬貨鑑別部及び紙幣鑑別部で鑑別計数して、計数した硬貨をすべて釣銭用硬貨収納部に収納すると共に、前記売上金記憶部に記憶された売上金の金額から最小金種の紙幣の金額に満たない端数分の金額を未収納金額として前記売上金記憶部に記憶し、前記計数した紙幣のうち前記売上金の金額から前記未収納金額を除いた金額分の紙幣を前記紙幣回収箱に収納し、
回収時に前記未収納金額分の硬貨を前記釣銭用硬貨収納部から前記硬貨回収箱に送って収納することを特徴とする現金処理装置。
【請求項２】
請求項１記載の現金処理装置において、
前記入金時に前記紙幣回収箱に収納した紙幣の金額が売上金の金額に満たない場合、不足金額分の紙幣を前記釣銭用紙幣収納部から前記紙幣回収箱に送って収納することを特徴とする現金処理装置。
【発明の詳細な説明】
【技術分野】
【０００１】
本発明は、小売店等においてレジスター等の現金取扱装置から回収した硬貨及び紙幣の入金処理や売上金として計数した硬貨及び紙幣の回収処理を行う現金処理装置に関するものである。
【背景技術】
【０００２】
従来のこの種の現金処理装置として以下に説明するものがある。
入金の場合、レジスターから回収した売上金の硬貨及び紙幣をそれぞれ入金機（現金処理装置）の硬貨投入口及び紙幣投入口に投入すると、投入された硬貨が１枚ずつ分離されて鑑別部に搬送され、この鑑別部で硬貨の金種等の鑑別、計数が行われた後、硬貨は硬貨金庫カセットに搬送されて収納される。
【０００３】
一方、投入された紙幣も１枚ずつ分離されて鑑別部に搬送され、この鑑別部で紙幣の金種等の鑑別、計数が行われた後、紙幣金庫カセットに搬送されて収納される。
そして、警送会社（警備会社）の係員による回収時に、売上金を収納した硬貨金庫カセットと紙幣金庫カセットが入金機から抜き取られ、空の硬貨金庫カセットと紙幣金庫カセットが装着されて売上金の回収が行われる（例えば、特許文献１参照）。
【特許文献１】特開平９−１６６９１号公報（段落「００２３」、段落「００３１」〜段落「００３５」、図３、図４）
【発明の開示】
【発明が解決しようとする課題】
【０００４】
しかしながら、上述した従来の技術においては、現金処理機に投入されたすべての売上金を硬貨金庫カセットと紙幣金庫カセットに収納するため、警送会社の係員は、売上金としての硬貨金庫カセットに収納したすべての硬貨の運搬を行うことになり、重量のある大量の硬貨の運搬を行わなければならないので警送会社の係員の負担が大きいという問題がある。
【０００５】
また、売上金としての硬貨金庫カセットに収納したすべての硬貨を回収するため、レジスター等の現金取扱装置の釣銭を別に準備しなければならないという問題もある。
本発明は、このような問題を解決することを課題とするものである。
【課題を解決するための手段】
【０００６】
そのため、本発明の現金処理装置は、売上金の金額を入力する入力部と、硬貨受入れ部、硬貨の金種の鑑別及び金種毎の計数を行う硬貨鑑別部、硬貨を一時保留する硬貨一時保留部、現金取扱機で使用する釣銭準備金を収納する釣銭用硬貨収納部、回収する硬貨を収納する硬貨回収箱を有する硬貨処理機と、紙幣受入れ部、紙幣の金種の鑑別及び金種毎の計数を行う紙幣鑑別部、紙幣を一時保留する紙幣一時保留部、現金取扱機で使用する釣銭準備金を収納する釣銭用紙幣収納部、回収する紙幣を収納する紙幣回収箱を有する紙幣処理機と、入金時に前記入力部から入力される売上金の金額を記憶する売上金記憶部とを備え、  入金時に現金取扱機から回収され前記硬貨受入れ部と紙幣受入れ部にそれぞれ投入された硬貨及び紙幣を前記硬貨鑑別部及び紙幣鑑別部で鑑別計数して、計数した硬貨をすべて釣銭用硬貨収納部に収納すると共に、前記売上金記憶部に記憶された売上金の金額から最小金種の紙幣の金額に満たない端数分の金額を未収納金額として前記売上金記憶部に記憶し、前記計数した紙幣のうち前記売上金の金額から前記未収納金額を除いた金額分の紙幣を前記紙幣回収箱に収納し、回収時に前記未収納金額分の硬貨を前記釣銭用硬貨収納部から前記硬貨回収箱に送って収納することを特徴とする。
【発明の効果】
【０００７】
このようにした本発明は、警送員に回収される硬貨は、各入金処理で入金される金額の端数分の金額のみとなるので、回収される硬貨を最小限に抑えることができ、重量のある大量の硬貨の運搬を行う必要がなくなるので、警送員の負担を軽減できるという効果が得られる。
また、警送員に回収される分以外の硬貨を釣銭準備金として装置内に残すことができるの、レジスター等の現金取扱装置の釣銭を常に確保しておくことができるという効果も得られる。
【発明を実施するための最良の形態】
【０００８】
以下、図面を参照して本発明による現金処理装置の実施例を説明する。
【実施例】
【０００９】
図１は実施例の概略構成を示すブロック図である。
図において１は硬貨処理機、２は紙幣処理機、３は硬貨（現金）及び紙幣（現金）処理のための入力画面や入力された情報等を表示する表示部、４はオペレータが情報の入力操作を行うキーボードあるいは表示部２上に配置されたタッチパネル等の操作部、５は装置利用者が入力する売上金の金額や売上金として後述する硬貨回収箱（硬貨回収カセット）及び紙幣回収箱（紙幣回収カセット）に収納された現金の金額と金種毎の累計枚数を売上金内訳情報として記憶する売上金記憶部、６はこれらを含めて現金処理装置全体の動作を制御する制御部である。
【００１０】
硬貨処理機１は、小売店等のレジスター（現金取扱機）から回収した硬貨を一括して受け入れる硬貨入金口（硬貨受入れ部）１１と、この硬貨入金口１１に受け入れた硬貨を１枚ずつ分離する図示しない分離部と、硬貨の金種等を鑑別すると共に鑑別した硬貨を金種毎に計数する硬貨鑑別部１２と、この硬貨鑑別部１２で鑑別計数された硬貨を一時保留する硬貨一時保留部１３と、この硬貨一時保留部１３からの硬貨を収納する釣銭用硬貨収納部１４と、硬貨回収箱（硬貨回収カセット）１５、硬貨出金箱（硬貨出金カセット）１６によって構成されており、ここで一時保留部１３と、釣銭用硬貨収納部１４と、硬貨回収箱１５、硬貨出金箱１６は金種毎に分けて硬貨を集積、収納できるように内部が区切られている。
【００１１】
また、硬貨入金口１１と硬貨鑑別部１２との間には分離部により分離された硬貨を搬送する搬送ベルト等による搬送路が設けられ、釣銭用硬貨収納部１４と硬貨回収箱１５及び硬貨出金箱１６との間には、釣銭用硬貨収納部１４から排出される硬貨を硬貨回収箱１５と硬貨出金箱１６のいずれかに導く振分け手段と、通過する硬貨を金種毎に計数する計数手段が設けられており、更に硬貨回収箱１５と硬貨出金箱１６は硬貨処理機１に対してそれぞれ着脱自在となっている。
【００１２】
一方、紙幣処理機１は、小売店等のレジスターから回収した紙幣を一括して受け入れる紙幣入出金口（紙幣受入れ部）２１と、この紙幣入出金口２１に受け入れた紙幣を１枚ずつ分離する図示しない分離部と、紙幣の金種等を鑑別すると共に鑑別した紙幣を金種毎に計数する紙幣鑑別部２２と、この紙幣鑑別部２２で鑑別計数された紙幣を集積して一時保留する紙幣一時保留部２３と、紙幣回収箱（紙幣回収カセット）２４と、レジスター用の釣銭準備金として使用する特定金種（例えば、五千円、千円）の紙幣を収納する釣銭用紙幣収納部２５と、これらの間で紙幣を搬送ベルト等で挟持して搬送する搬送路等を備えている。
【００１３】
尚、紙幣一時保留部２３には紙幣を繰出す繰出し手段が設けられている。
また、紙幣回収箱２４は着脱自在とした金庫構造のカセットから成り、この紙幣回収箱２４に対して搬送路から図示しないブレードにより導かれる紙幣を取り込んで集積させる図示しない集積手段が紙幣処理機２内に設けられている。
また、釣銭用紙幣収納部２５は金種ごとに独立したカセットから成り、この釣銭用紙幣収納部２５にも紙幣の集積手段が紙幣を搬送路に繰出す繰出し手段と共に設けられている。
【００１４】
上述した構成の作用について説明する。
尚、以下に説明する各部の動作は、図示しないプログラム記憶部に格納された制御プログラム（ソフトウェア）に基づいて制御部６により制御されるものとする。
図２及び図３は実施例の作用を示すフローチャートで、各図に示すＳは処理ステップである。
【００１５】
まず、図２を参照して入金について説明する。
Ｓ１：  利用者がレジスターから回収した硬貨及び紙幣を本現金処理装置まで運び、操作部３で入金の指示を入力して、硬貨を硬貨処理機１の硬貨入金口１１に、また紙幣を紙幣処理機２の紙幣入出金口２１にそれぞれセット（投入）する。
Ｓ２：  硬貨入金口１１にセットされた硬貨を、１枚づつ分離して搬送路により硬貨鑑別部１２に搬送し（図１の矢印ａ１）、該硬貨鑑別部１２で金種等の鑑別を行うと共に、金種毎に計数した後、硬貨一時保留部１３に搬送して（図１の矢印ａ２）一時保留（集積）する。金種が不明な硬貨や２重送り等の搬送異常が検出された硬貨はリジェクト硬貨として図示しない硬貨リジェクト部に送られ、集積される。
【００１６】
また、紙幣入出金口２１に投入された紙幣は、１枚づつ分離して紙幣鑑別部２２に搬送し（図１の矢印ｂ１）、紙幣鑑別部２２で金種等の鑑別を行うと共に、金種毎に計数した後、紙幣一時保留部２３に搬送して一時保留（集積）する（図１の矢印ｂ２）。金種が不明な紙幣や２重送り等の搬送異常が検出された紙幣はリジェクト紙幣として搬送路により紙幣入出金口２１に搬送され、分離中の紙幣とは仕切板等で区切られた出金室に集積される（図１の矢印ｂ３）。
【００１７】
そして、硬貨入金口１１に投入された硬貨及び紙幣入出金口２１に投入された紙幣がすべて分離され、鑑別，計数等が行われて硬貨一時保留部１３やリジェクト部、紙幣一時保留部２３や紙幣入出金口２１の出金室に集積されると、硬貨リジェクト部や出金室にリジェクト硬貨、リジェクト紙幣がある場合は、操作者にこれらのリジェクト硬貨やリジェクト紙幣の抜き取りを促すメッセージを表示部３に画面表示して、リジェクト硬貨やリジェクト紙幣の抜き取りを行わせる。
【００１８】
このリジェクト硬貨やリジェクト紙幣の処理については再度硬貨入金口１１や紙幣入出金口２１に投入して、鑑別，計数等を行い、硬貨一時保留部１３や紙幣一時保留部２３に集積させるか、もしくは操作者が金種、枚数を確認して、その金種、枚数を操作部４で入力する等の操作を行う。
Ｓ３：  上記の処理によりレジスターから回収した硬貨及び紙幣の金種毎の枚数、金額、全金種の合計金額が確定すると、それらが表示部３に表示される。
Ｓ４：  利用者は表示された内容を確認し、レジスターから紙幣と硬貨を回収した際にレジスターから放出された明細票を見て、その明細票に印字されている売上金の金額を操作部４により入力し、収納の指示を入力する。
Ｓ５：  入力された売上金の金額及び紙幣の金種毎の枚数、金額、全金種の合計金額が売上金記憶部５に記憶される。このとき売上金記憶部５に前回以前の入金における売上金の金額や紙幣の金種毎の枚数、金額、全金種の合計金額が記憶されている場合、それらに今回の売上金の金額や紙幣の金種毎の枚数、金額、全金種の合計金額が加算され、合計額や合計枚数として記憶される。
【００１９】
また、硬貨については、売上金記憶部５に記憶されている今回の売上金における千円未満の端数分つまり最小金種の紙幣の金額に満たない端数分を未収納金として、その未収納金額が売上金記憶部５に記憶される。この場合、売上金記憶部５に前回以前の入金における未収納金額が記憶されている場合、その未収納金額に今回の未収納金額を加算した合計額も記憶される。
Ｓ６：  前記利用者の収納の指示により、硬貨処理機１では硬貨一時保留部１３の硬貨をすべて釣銭用硬貨収納部１４に送って金種別に収納する（図１の矢印ａ３）。
Ｓ７，８：  一方、紙幣処理機２では、紙幣一時保留部２３から紙幣を１枚ずつ分離して搬送路に繰出し、繰出した紙幣を搬送路により紙幣鑑別部２２に送って、紙幣鑑別部２２により再び紙幣の金種等の鑑別、計数、２重送り等の搬送異常の検出を行う（図１の矢印ｂ４）。
【００２０】
その結果、金種不明の紙幣や２重送り等の搬送異常が検出された紙幣はリジェクト紙幣として搬送路により図示しないリジェクト紙幣収納部に搬送して、そのリジェクト紙幣収納部内に収納する。
また、金種が判明した紙幣は売上金記憶部５に記憶されている売上金から今回の未収納金額を除く金額つまり千円未満の端数分を除く金額に達するまで紙幣鑑別部２２での鑑別計数結果に基づいて搬送路により紙幣回収箱２４に順次搬送し、図示しない集積手段により紙幣回収箱２４内に集積して収納する（図１の矢印ｂ５）。
【００２１】
そして前記金額分の紙幣が紙幣回収箱２４内に収納すると、残りの紙幣は釣銭準備金として搬送路により釣銭用紙幣収納部２５に搬送し、金種別に振分けて図示しない集積手段により釣銭用紙幣収納部２５内に集積して収納する（図１の矢印ｂ６）。
但し、紙幣一時保留部２３の紙幣をすべて繰出して紙幣回収箱２４内に収納したとき、その金額が売上金の千円未満の端数分を除く金額に満たない場合は、不足金額分の紙幣を釣銭用紙幣収納部２５から繰出して紙幣鑑別部２２に搬送し（図１の矢印ｂ７）、紙幣鑑別部２２で鑑別計数した後、紙幣回収箱２４へ搬送して収納する（図１の矢印ｂ５）。
【００２２】
この釣銭用紙幣収納部２５内に集積して収納する紙幣の金種毎の枚数は図示しない釣銭記憶部に既に記憶されている金種毎の枚数に加算されて記憶される。
また、このとき売上金については、今回の売上金の金額つまり利用者により入力された売上金の金額と今回の未収納金額は売上金記憶部５から消去（クリア）される。
尚、本現金処理装置は、必要に応じて釣銭用硬貨紙幣収納部１４及び釣銭用紙幣収納部２５から釣銭を出金できるものであるが、この釣銭の出金については直接発明と関係がないので説明を省略する。
【００２３】
次に、図３を参照して回収について説明する。
Ｓ１１：  警送会社の警送員が操作部４により回収の情報を入力すると、制御部６は売上金記憶部５に記憶されている未収納金額（合計額）を読み出し、硬貨出金機１に送信して未収納金額分の硬貨の処理を指示する。
Ｓ１２：  これにより硬貨処理機１は、釣銭用硬貨収納部１４から未収納金額分の硬貨を繰り出し、硬貨回収箱１５へ送って収納させる。
Ｓ１４：  その後、売上金記憶部５に記憶されている未収納金額（合計額）を消去（クリア）する。
Ｓ１１：  表示部３に硬貨回収箱１５、紙幣回収箱２４の交換を促す旨の画面を表示し、これにより警送員は硬貨処理機１と紙幣処理機２から売上金が収納されている硬貨回収箱１５と紙幣回収箱２４を抜き取り、交換のために持参した空の硬貨回収箱１５、紙幣回収箱２４硬貨処理機１と紙幣処理機２に装着して交換を行い、硬貨処理機１及び紙幣処理機２から抜き取った硬貨回収箱１５、紙幣回収箱２４ごと売上金を回収する。
【００２４】
その際、売上金記憶部５に記憶されている回収金の情報つまり回収する硬貨回収箱１５、紙幣回収箱２４に収納されている硬貨及び紙幣の金種毎の枚数、金種毎の合計金額、総売上額が図示しない印字部により明細票に印字され、警送員に放出される。
以上説明した実施例によれば、警送員に回収される硬貨は、各入金処理で入金される金額の端数分の金額のみとなるので、回収される硬貨を最小限に抑えることができ、重量のある大量の硬貨の運搬を行う必要がなくなるので、警送員の負担を軽減できるという効果が得られる。
【００２５】
また、警送員に回収される分以外の硬貨を釣銭準備金として装置内に残すことができるので、レジスター等の現金取扱装置の釣銭を常に確保しておくことができるという効果も得られる。
尚、上述した実施例ではレジスターから回収した紙幣の処理を例にして説明したが、レジスター以外の現金取扱機、例えば自動販売機、駐車場等の料金清算機、入場券等の券売機等における売上金の紙幣を処理することも可能である。
【図面の簡単な説明】
【００２６】
【図１】実施例の概略構成を示すブロック図
【図２】実施例の作用を示すフローチャート
【図３】実施例の作用を示すフローチャート
【符号の説明】
【００２７】
１    硬貨処理機
２    紙幣処理機
３    表示部
４    操作部
５    売上金記憶部
６    制御部
１１  硬貨入金口
１２  硬貨鑑別部
１３  硬貨一時保留部
１４  釣銭用硬貨収納部
１５  硬貨回収箱
１６  硬貨出金箱
２１  紙幣入出金口
２２  紙幣鑑別部
２３  紙幣一時保留部
２４  紙幣回収箱
２５  釣銭用紙幣収納部
【図１】
2006139657.tif 000003
【図２】
2006139657.tif 000004
【図３】
2006139657.tif 000005